(57)【要約】【課題】開動作と閉動作との両方を自動化し得るようにする。【解決手段】蓋体５がアーム１１を介してヒンジ部４に取付けられ、アーム１１のヒンジ部４に対する軸支部から延長部１３が設けられ、延長部１３に蓋体５の自重を打ち消すためのバランスウエイト１４が取付けられ、アーム１１に蓋体閉側作動用磁石１５が取付けられると共に、延長部１３に蓋体開側作動用磁石１６が取付けられ、収納容器２に、蓋閉位置にて蓋体閉側作動用磁石１５と最接近して磁気吸引し合う閉保持用磁性体１７が取付けられると共に、蓋開位置にて蓋体開側作動用磁石１６と最接近して磁気吸引し合う開保持用磁性体１８が取付けられ、蓋体閉側作動用磁石１５および蓋体開側作動用磁石１６を磁気反発可能な相手側開閉駆動用磁石１９が設けられ、相手側開閉駆動用磁石１９が、閉反発位置と、開反発位置との間を往復移動可能に移動部材２１に取付けられるなどとされている。【選択図】図５
2008037146.tif 000002
【特許請求の範囲】
【請求項１】
収納容器の開口部にヒンジ部を介して開閉自在に取付けられた蓋体を開閉操作させる蓋体開閉機構において、
前記蓋体がアームを介してヒンジ部に取付けられ、前記アームのヒンジ部に対する軸支部から蓋体と離れる方向へ延びる延長部が設けられ、該延長部に蓋体の自重を打ち消すためのバランスウエイトが取付けられ、
前記アームに蓋体閉側作動用磁石が取付けられると共に、前記延長部に蓋体開側作動用磁石が取付けられ、
前記収納容器に、蓋閉位置にて蓋体閉側作動用磁石と最接近して磁気吸引し合う閉保持用磁性体が取付けられると共に、蓋開位置にて蓋体開側作動用磁石と最接近して磁気吸引し合う開保持用磁性体が取付けられ、
前記蓋体閉側作動用磁石および蓋体開側作動用磁石を磁気反発可能な相手側開閉駆動用磁石が設けられ、該相手側開閉駆動用磁石が、蓋体閉側作動用磁石と閉保持用磁性体とが最接近する閉保持位置にて蓋体閉側作動用磁石と対向する閉反発位置と、蓋体開側作動用磁石と開保持用磁性体とが最接近する開保持位置にて蓋体開側作動用磁石と対向する開反発位置との間を往復移動可能に移動部材に取付けられ、
該移動部材と収納容器との間に、移動部材を閉反発位置へ向けて付勢する弾性部材が介装され、
該移動部材と収納容器との間に、移動部材を開反発位置でロックさせるロック機構が設けられ、
前記移動部材を弾性部材の付勢力に抗して閉反発位置から開反発位置へと移動させると共に、開反発位置にてロック機構を操作可能な操作スイッチ機構が設けられたことを特徴とする蓋体開閉機構。
【発明の詳細な説明】
【技術分野】
【０００１】
この発明は、蓋体開閉機構に関するものである。
【背景技術】
【０００２】
自動車などの車両には、車室内にドリンクホルダなどの収納装置が設けられている。この収納装置には、収納容器の開口部にヒンジ部を介して蓋体が開閉自在に取付けられたものが存在する。このような収納装置では、蓋体を開閉操作させるために蓋体開閉機構が設けられている。この蓋体開閉機構には、通常、スプリング機構が用いられる（例えば、特許文献１参照）。
【特許文献１】特開２００２−１７８８１８号公報
【発明の開示】
【発明が解決しようとする課題】
【０００３】
しかしながら、スプリング機構を用いた蓋体開閉機構では、開動作と閉動作とのうちの一方しか自動化できないという問題があった。
【課題を解決するための手段】
【０００４】
上記課題を解決するために、請求項１に記載された発明では、収納容器の開口部にヒンジ部を介して開閉自在に取付けられた蓋体を開閉操作させる蓋体開閉機構において、前記蓋体がアームを介してヒンジ部に取付けられ、前記アームのヒンジ部に対する軸支部から蓋体と離れる方向へ延びる延長部が設けられ、該延長部に蓋体の自重を打ち消すためのバランスウエイトが取付けられ、前記アームに蓋体閉側作動用磁石が取付けられると共に、前記延長部に蓋体開側作動用磁石が取付けられ、前記収納容器に、蓋閉位置にて蓋体閉側作動用磁石と最接近して磁気吸引し合う閉保持用磁性体が取付けられると共に、蓋開位置にて蓋体開側作動用磁石と最接近して磁気吸引し合う開保持用磁性体が取付けられ、前記蓋体閉側作動用磁石および蓋体開側作動用磁石を磁気反発可能な相手側開閉駆動用磁石が設けられ、該相手側開閉駆動用磁石が、蓋体閉側作動用磁石と閉保持用磁性体とが最接近する閉保持位置にて蓋体閉側作動用磁石と対向する閉反発位置と、蓋体開側作動用磁石と開保持用磁性体とが最接近する開保持位置にて蓋体開側作動用磁石と対向する開反発位置との間を往復移動可能に移動部材に取付けられ、該移動部材と収納容器との間に、移動部材を閉反発位置へ向けて付勢する弾性部材が介装され、該移動部材と収納容器との間に、移動部材を開反発位置でロックさせるロック機構が設けられ、前記移動部材を弾性部材の付勢力に抗して閉反発位置から開反発位置へと移動させると共に、開反発位置にてロック機構を操作可能な操作スイッチ機構が設けられた蓋体開閉機構を特徴としている。
【発明の効果】
【０００５】
請求項１の発明によれば、上記構成としたことにより、開動作と閉動作との両方を自動化することが可能となる。また、移動部材の部分に弾性部材を採用することにより、機構を単純化してコストを下げることが可能となる。また、弾性部材の付勢力に抗する程度の少ない力で操作スイッチ機構を操作し、開閉を行わせることができる。
【発明を実施するための最良の形態】
【０００６】
以下、本発明を具体化した実施例について、図示例と共に説明する。
【０００７】
図１〜図８は、この発明の実施例を示すものである。
【０００８】
まず、構成について説明する。自動車などの車両には、車室内に、図１、図２に示すような、ドリンクホルダなどの比較的小型の収納装置１が設けられている。この収納装置１は、収納容器２の開口部３にヒンジ部４（図５参照）を介して蓋体５が開閉自在に取付けられている。この収納容器２は、奥側の部分に形成された蓋収容部に対して、開時に蓋体５が収容され得るように構成されている。なお、収納装置１としては、上記したドリンクホルダに限るものではなく、蓋体５を有するものであれば、小物入れや灰皿装置やコインホルダなどであっても良い。
【０００９】
この収納装置１に対し、図３、図４に示すように、蓋体５を開閉操作させるための蓋体開閉機構６が設けられる。この蓋体開閉機構６は、収納容器２の一側部に設けられる。この蓋体開閉機構６は、開動作と閉動作との両方を自動化可能なものとする。
【００１０】
この実施例のものでは、図５〜図８（主に図５参照）に示すように、蓋体５がアーム１１を介してヒンジ部４に取付けられる。このアーム１１は、収納容器２の両側部に沿って設けられる。アーム１１の上端部は蓋体５の奥側の裏面部分などに取付けられ、アーム１１の下端部は、ヒンジ部４のヒンジ軸１２に軸支される。アーム１１は、この場合、側面視でほぼＳ字状を呈している。そして、ヒンジ軸１２は、収納容器２のほぼ幅方向へ向けて延設される。
【００１１】
そして、アーム１１のヒンジ部４に対する軸支部から、蓋体５と離れる方向へ延びる延長部１３が設けられる。この場合、延長部１３は、アーム１１の下端部からほぼ下方へ向けて延設されている。この延長部１３に蓋体５の自重を打ち消すためのバランスウエイト１４が取付けられる。この場合、バランスウエイト１４は、延長部１３の下端部に取付けられている。
【００１２】
更に、アーム１１に蓋体閉側作動用磁石１５が取付けられると共に、延長部１３に蓋体開側作動用磁石１６が取付けられる。即ち、ヒンジ軸１２を基準として、蓋体閉側作動用磁石１５は蓋体５に近い位置、蓋体開側作動用磁石１６は蓋体５から遠い位置に取付けられる。蓋体閉側作動用磁石１５と蓋体開側作動用磁石１６とは、近過ぎず遠過ぎない位置で、且つ、連続した磁気作用が得られる位置に配設する。なお、上記したバランスウエイト１４は、蓋体閉側作動用磁石１５および蓋体開側作動用磁石１６をも考慮に入れた重さに設定されている。
【００１３】
また、収納容器２に、蓋閉位置にて蓋体閉側作動用磁石１５と最接近して磁気吸引し合う閉保持用磁性体１７が取付けられる。同様に、蓋開位置にて蓋体開側作動用磁石１６と最接近して磁気吸引し合う開保持用磁性体１８が取付けられる。閉保持用磁性体１７と開保持用磁性体１８とは、別体物としても良いが、この場合には、側面視ほぼＶ字状に連続された一体物の鉄片としている。また、蓋体閉側作動用磁石１５と閉保持用磁性体１７とは離間するように設定され、蓋体開側作動用磁石１６と開保持用磁性体１８とは当接（磁気吸着）されるような位置関係に設定されている。
【００１４】
そして、蓋体閉側作動用磁石１５および蓋体開側作動用磁石１６を磁気反発可能な相手側開閉駆動用磁石１９が設けられる。この相手側開閉駆動用磁石１９と、蓋体閉側作動用磁石１５および蓋体開側作動用磁石１６とは、同極の面が向い合わされるように配置される。
【００１５】
更に、相手側開閉駆動用磁石１９が、蓋体閉側作動用磁石１５と閉保持用磁性体１７とが最接近する閉保持位置にて蓋体閉側作動用磁石１５と対向する閉反発位置と、蓋体開側作動用磁石１６と開保持用磁性体１８とが最接近する開保持位置にて蓋体開側作動用磁石１６と対向する開反発位置との間を往復移動可能に、移動部材２１に取付けられる。
【００１６】
この場合、移動部材２１は、支軸２２を中心として揺動される揺動レバー２３とされている。この支軸２２は、ヒンジ軸１２に関して閉保持用磁性体１７および開保持用磁性体１８とは反対の側に設けられている。また、支軸２２とヒンジ軸１２とを結ぶ直線が、閉保持用磁性体１７と開保持用磁性体１８との間をほぼ通るような位置関係に設定されている。支軸２２は、ヒンジ軸１２とほぼ平行な方向へ向けられている。支軸２２は、揺動レバー２３の後端部（或いは下端部）に設けられ、相手側開閉駆動用磁石１９は、ヒンジ軸１２の側へ向けて延びる揺動レバー２３の先端部（或いは上端部）に取付けられている。即ち、相手側開閉駆動用磁石１９および揺動レバー２３の先端部が、開保持位置と開反発位置との間を往復移動されることとなる。この場合、揺動レバー２３は、側面視ほぼへ字状を呈している。
【００１７】
また、移動部材２１（揺動レバー２３）と収納容器２との間に、移動部材２１を閉反発位置の側へ向けて付勢する弾性部材２４が介装される。この場合、弾性部材２４は、揺動レバー２３中間部の奥側の面と、収納容器２の奥側の部分との間に介装された引張バネなどとされている。
【００１８】
そして、移動部材２１と収納容器２との間に、移動部材２１を開反発位置でロックさせるロック機構２５が設けられる。このロック機構２５には、例えば、押込みによって爪部材２６に対する把持・解放を交互に繰返すラッチ装置２７を用いる。この場合、揺動レバー２３の後端部から奥側へ向けて延設された爪取付用延長部２８の先端に爪部材２６が取付けられると共に、収納容器２の奥側の部分における爪部材２６よりも上方の位置にラッチ取付用突出部２９を介してラッチ装置２７が取付けられている。このラッチ装置２７は、支軸２２を中心として爪部材２６までの長さを半径とする円の上に接線方向へ向けて取付けられている。爪部材２６とラッチ装置２７とは、互いに向い合せとなるように取付けられている。爪取付用延長部２８は揺動レバー２３に一体に形成され、ラッチ取付用突出部２９は収納容器２に一体に形成されている。
【００１９】
更に、移動部材２１を弾性部材２４の付勢力などに抗して閉反発位置から開反発位置へと移動させると共に、開反発位置にてロック機構２５を操作可能な操作スイッチ機構３１が設けられている。この操作スイッチ機構３１は、例えば、スイッチボタン３２とカム部材３３とで構成される。この場合、スイッチボタン３２は、ほぼ上下方向へ延びる短軸状を呈しており、収納容器２の奥側の上面から上端が突出するように貫通配置されている。このスイッチボタン３２の下端部は、ヒンジ軸１２とほぼ平行な取付軸３４を介して、カム部材３３の上側部分に軸支されている。カム部材３３は、側面視、ほぼ１／４円状を呈しており、その中心部分がヒンジ軸１２とほぼ平行な軸３５を介して収納容器２に軸支されている。そして、カム部材３３の下側部分が揺動レバー２３中間部の奥側の側面に押圧可能に当接されている。なお、揺動レバー２３の対応する部分には所要のガイド面３８が形成されている。このガイド面３８は、弾性部材２４の取付部位よりも上方に形成されている。
【００２０】
次に、この実施例の作用について説明する。
【００２１】
まず、バランスウエイト１４により、蓋体５は、その自重を打ち消された状態となっている。よって、蓋体５は、極く軽い力で動かすことが可能である。
【００２２】
そして、図５に示すように、蓋体５が完全に閉じた状態、即ち、蓋閉位置では、蓋体閉側作動用磁石１５は閉保持用磁性体１７と最接近した閉保持位置に位置されている。この両者間の磁気吸引力により、蓋体５は閉位置で保持されている。そして、移動部材２１（揺動レバー２３）は、弾性部材２４の弾性力によって閉反発位置の側へと引戻されている。これにより、移動部材２１に取付けられた相手側開閉駆動用磁石１９は、閉反発位置にて蓋体閉側作動用磁石１５と対向した状態とされている。この両者間の磁気反発力により、蓋体５は閉位置にてバランスされている。なお、移動部材２１が閉保持位置にあることによって操作スイッチ機構３１のスイッチボタン３２は上へ押上げられている。
【００２３】
上記した蓋体５が閉じた状態からスイッチボタン３２を下へ押すと、図６に示すように、カム部材３３が移動部材２１のガイド面３８を押すことにより、弾性部材２４の付勢力に抗して移動部材２１が閉反発位置の側から開反発位置の側へと向けて移動される。すると、相手側開閉駆動用磁石１９と蓋体閉側作動用磁石１５との位置関係が変って両者間のバランスが崩れ、両者間の磁気反発力が開側へと向かうため、蓋体５は、ヒンジ部４を中心として蓋開位置へ向け回動し始める。そして、相手側開閉駆動用磁石１９の位置がヒンジ部４の位置を越えるまでの間に、両者は遠ざかって行くため、両者間の磁気反発力は徐々に弱まって行くものの、蓋体５は加速を得ているので回動は継続される。また、相手側開閉駆動用磁石１９の位置がヒンジ部４の位置を越える後半からは、相手側開閉駆動用磁石１９に蓋体開側作動用磁石１６が近付いてくるので、両者間に磁気反発力が作用し、この磁気反発力によって、蓋体５の回動が継続され、最終的に、図７に示すように、蓋体５が完全に開かれた状態となる。
【００２４】
この蓋体５が完全に開いた状態、即ち、蓋開位置では、蓋体開側作動用磁石１６は開保持用磁性体１８と最接近した開保持位置に位置されている。この両者間の磁気吸引力により、蓋体５は開位置で保持されている。この場合には、両者は磁気吸着されて安定状態となっている。そして、移動部材２１は、弾性部材２４の弾性力に抗して開反発位置に位置されている。この時、移動部材２１はロック機構２５を操作してロックさせるようにする。これにより、移動部材２１に取付けられた相手側開閉駆動用磁石１９は、蓋体開側作動用磁石１６と対向した状態で停止される。この時の両者間の磁気反発力により、蓋体５は開位置にてバランスされている。なお、移動部材２１が開保持位置にあることによって操作スイッチ機構３１のスイッチボタン３２は下へ押下げられた状態となる。
【００２５】
そして、上記したように蓋体５が閉じた状態からスイッチボタン３２を僅かに下へ押すと、ロック機構２５によるロックが解除され、図８に示すように、弾性部材２４の付勢力によって移動部材２１が開反発位置から閉反発位置へ向けて移動される。すると、相手側開閉駆動用磁石１９と蓋体開側作動用磁石１６との位置関係が変って両者間のバランスが崩れ、両者間の磁気反発力が閉側へと向かうため、蓋体５は、ヒンジ部４を中心として蓋閉位置へ向け回動し始める。そして、相手側開閉駆動用磁石１９の位置がヒンジ部４の位置を越えるまでの間に、両者は遠ざかって行くため、両者間の磁気反発力は徐々に弱まって行くものの、蓋体５は加速を得ているので可動は継続される。また、相手側開閉駆動用磁石１９の位置がヒンジ部４の位置を越える後半からは、相手側開閉駆動用磁石１９に蓋体閉側作動用磁石１５が近付いてくるので、両者間に磁気反発力が作用し、この磁気反発力によって、蓋体５の回動が継続され、最終的に、図５に示すように、蓋体５が完全に閉じた状態となる。
【００２６】
このように、この実施例によれば、上記構成としたことにより、開動作と閉動作との両方を自動化することが可能となる。また、移動部材２１（揺動レバー２３）の部分に弾性部材２４を採用することにより、機構を単純化してコストを下げることが可能となる。また、弾性部材２４の付勢力に抗する程度の少ない力で操作スイッチ機構３１を操作し、開閉を行わせることができる。
【００２７】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２８】
【図１】本発明の実施例が適用される車両用の収納装置の全体斜視図である。
【図２】図１の開状態の全体斜視図である。
【図３】図１の収納装置を別の方向から見た全体斜視図である。
【図４】図３の開状態の全体斜視図である。
【図５】図３の蓋体開閉機構を側方から見た斜視図である。
【図６】図５に続く開途中の作動図である。
【図７】図６に続く開状態の作動図である。
【図８】図７に続く閉途中の作動図である。
【符号の説明】
【００２９】
１    収納装置
２    収納容器
３    開口部
４    ヒンジ部
５    蓋体
６    蓋体開閉機構
１１  アーム
１３  延長部
１４  バランスウエイト
１５  蓋体閉側作動用磁石
１６  蓋体開側作動用磁石
１７  閉保持用磁性体
１８  開保持用磁性体
１９  相手側開閉駆動用磁石
２１  移動部材
２４  弾性部材
２５  ロック機構
３１  操作スイッチ機構
【図１】
2008037146.tif 000003
【図２】
2008037146.tif 000004
【図３】
2008037146.tif 000005
【図４】
2008037146.tif 000006
【図５】
2008037146.tif 000007
【図６】
2008037146.tif 000008
【図７】
2008037146.tif 000009
【図８】
2008037146.tif 000010